(57)【要約】【課題】自動車の点灯装置やワイパー駆動装置などを制御するスイッチ装置に関し、簡易な構成で、ノイズによる誤動作がなく確実な動作が可能なものを提供することを目的とする。【解決手段】制御手段１２がスイッチ手段１１の複数のスイッチ接点の接離信号を同時に検出すると共に、複数の接離信号の内の１つのみが接続信号で、他が開離信号である時に、この接続信号に応じて所定の駆動信号を出力するようにしてスイッチ装置を構成することによって、強電界環境下で複数の開離信号にノイズが重畳し、接続信号が１つではなく複数となった場合には、制御手段１２が駆動信号を出力しないため、ノイズ吸収用のコンデンサ等が不要となり、簡易な構成で、誤動作がなく確実な動作が可能なスイッチ装置を得ることができる。【選択図】図１
2005212717.tif 000002
【特許請求の範囲】
【請求項１】
操作により複数のスイッチ接点が電気的接離を行うスイッチ手段と、このスイッチ手段からの接離信号に応じて駆動信号を出力する制御手段からなり、前記制御手段が前記スイッチ手段の複数のスイッチ接点の接離信号を同時に検出すると共に、複数の前記接離信号の内の１つのみが接続信号で、他が開離信号である時に、この接続信号に応じて前記制御手段が所定の駆動信号を出力するスイッチ装置。
【発明の詳細な説明】
【技術分野】
【０００１】
本発明は、主に自動車のフォグランプやターンシグナル等の点灯装置や、ワイパーの駆動装置などを制御するスイッチ装置に関するものである。
【背景技術】
【０００２】
近年、自動車の多機能化、高機能化が進む中、フォグランプ、ターンシグナル等の点灯装置やワイパー駆動装置に用いられるスイッチ装置においては、スイッチ手段から入力された接離信号に応じて、マイコン等の制御手段が点灯装置や駆動装置に駆動信号を出力して制御するものが増えてきている。
【０００３】
このような従来のスイッチ装置について、図６〜図８を用いて説明する。
【０００４】
図６は従来のスイッチ装置のブロック回路図であり、同図において、１はロッカースイッチなどのスイッチ手段で、操作部（図示せず）の操作に伴い、可動接点１Ａがグランド接続された固定接点１Ｂを中心に移動することによって、固定接点１Ｂと１Ｃ間、または固定接点１Ｂと１Ｄ間の電気的接離が行われるようにしてスイッチ接点が形成されている。
【０００５】
そして、２はマイコン等の電子部品からなる制御手段で、この入力部２Ａがスイッチ手段１の固定接点１Ｄに接続されると共に、制御手段２内のマイコンの電源と同電位となるように、抵抗３を介して電源回路４に接続されている。
【０００６】
なお、入力部２Ａは後述する一方がグランド接続されたノイズ吸収用のコンデンサ５にも接続されている。
【０００７】
さらに、制御手段２の出力部２Ｂが、駆動手段であるフォグランプ等の点灯装置６の入力部６Ａに接続されて、スイッチ装置が構成されている。
【０００８】
以上の構成において、図６に示すように、可動接点１Ａが固定接点１Ｂ及び１Ｃに接触し、スイッチ手段１がＯＦＦの状態では、図８（ａ）の信号波形図の左側に示すように、制御手段２の入力部２Ａには開離信号で高電位のＨ信号が入力されているため、制御手段２はこのＨ信号によってスイッチ手段１がＯＦＦであると判断し、出力部２Ｂからは消灯の駆動信号が出力され、点灯装置６は消灯状態となっている。
【０００９】
そして、例えば時間Ｔ後に、スイッチ手段１の操作部を操作し、図７のブロック回路図に示すように、可動接点１Ａが移動して固定接点１Ｂと１Ｄに接触したＯＮ状態となると、図８（ａ）の右側に示すように、制御手段２に入力される信号は、Ｈ信号から接続信号で低電位のＬ信号に変化し、このＬ信号によって制御手段２がＯＮと判断して、点灯の駆動信号を出力し点灯装置６は点灯する。
【００１０】
また、この時、制御手段２は所定の閾電圧値Ｓを基準として、スイッチ手段１からの電位の高低の判断を行い、これによってスイッチ接点の接続や開離状態を検出している。
【００１１】
なお、このようなスイッチ装置を装着した自動車が高圧電線下や電波塔近傍を通行したり、あるいは無線機近傍等の強電界環境中で使用された場合、図８（ｂ）に示すように、制御手段２への入力信号にノイズＮが発生する。
【００１２】
そして、例えば、スイッチ手段１がＯＦＦ状態で、制御手段２へ高電位のＨ信号が入力されている状態で、このＨ信号にノイズＮが重畳した場合、所定時間、Ｈ信号の電位がノイズＮによって閾電圧値Ｓより低い電位に低下し、制御手段２へＬ信号が入力される。
【００１３】
このため、スイッチ手段１はＯＦＦ状態であるにもかかわらず、制御手段２がこのＬ信号を検出してＯＮ状態であると判断し、フォグランプなどの点灯装置６を一時的に点灯させるという不具合が生じる場合がある。
【００１４】
従って、このようなノイズＮによる制御手段２の誤動作を防ぐため、スイッチ手段１と接続された入力部２Ａとグランドとの間には、特定の周波数のノイズを吸収する有効周波数を有するコンデンサ５が接続され、これによってノイズを吸収し誤動作を防止するように構成されているものであった。
【００１５】
なお、この出願の発明に関連する先行技術文献情報としては、例えば、特許文献１が知られている。
【特許文献１】特開平６−３４４８２５号公報
【発明の開示】
【発明が解決しようとする課題】
【００１６】
しかしながら、上記従来のスイッチ装置においては、ノイズＮによる誤動作防止のため、制御手段２にコンデンサ５を接続する必要があるが、このコンデンサ５は特定の周波数のノイズを吸収する有効周波数を有しているため、多様な周波数のノイズの重畳を防止するためには、多数のコンデンサが必要になると共に、多数のスイッチ接点から形成されたスイッチ手段を用いた場合には、スイッチ接点毎に多数のコンデンサを接続する必要があるという課題があった。
【００１７】
本発明は、このような従来の課題を解決するものであり、簡易な構成で、ノイズが生じ易い使用環境下でも、確実な動作が可能なスイッチ装置を提供することを目的とする。
【課題を解決するための手段】
【００１８】
上記目的を達成するために本発明は、制御手段がスイッチ手段の複数のスイッチ接点の接離信号を同時に検出すると共に、複数の接離信号の内の１つのみが接続信号で、他が開離信号である時に、この接続信号に応じて所定の駆動信号を出力するようにしてスイッチ装置を構成したものであり、強電界環境下で複数の開離信号にノイズが重畳し、接続信号が１つではなく複数となった場合には、制御手段が駆動信号を出力しないため、ノイズ吸収用のコンデンサが不要となり、簡易な構成で、誤動作がなく確実な動作が可能なスイッチ装置を得ることができるという作用を有する。
【発明の効果】
【００１９】
以上のように本発明によれば、簡易な構成で、ノイズによる誤動作がなく確実な動作が可能なスイッチ装置を実現することができるという有利な効果が得られる。
【発明を実施するための最良の形態】
【００２０】
以下、本発明の実施の形態について、図１〜図５を用いて説明する。
【００２１】
なお、従来の技術の項で説明した構成と同一構成の部分には同一符号を付して、詳細な説明を簡略化する。
【００２２】
（実施の形態）
図１は本発明の一実施の形態によるスイッチ装置のブロック回路図であり、同図において、１１はロッカースイッチなどのスイッチ手段で、操作部（図示せず）の操作に伴い、可動接点１１Ａがグランド接続された固定接点１１Ｂを中心に移動することによって、固定接点１１Ｂと１１Ｃ間、または固定接点１１Ｂと１１Ｄ間の電気的接離が行われるようにして、複数のスイッチ接点が形成されている。
【００２３】
そして、１２はマイコン等の電子部品からなる制御手段で、この入力部１２Ａにスイッチ手段１１の固定接点１１Ｄが、入力部１２Ｂに同じく固定接点１１Ｃが各々接続されると共に、固定接点１１Ｂはグランドに接続されている。
【００２４】
また、制御手段１２の入力部１２Ａと１２Ｂは制御手段１２内のマイコンの電源と同電位となるように、各々抵抗３を介して電圧５Ｖの電源回路４に接続されると共に、出力部１２Ｃが、駆動手段であるフォグランプ等の点灯装置６の入力部６Ａに接続されている。
【００２５】
さらに、制御手段１２が入力部１２Ａと１２Ｂに入力された複数の接離信号を同時に検出する共に、これらの信号が互いに異なる信号の時にのみ、所定の駆動信号を点灯装置６へ出力するようにして、スイッチ装置が構成されている。
【００２６】
以上の構成において、図１に示すように、可動接点１１Ａが固定接点１１Ｂと１１Ｃに接触し、スイッチ手段１１がＯＦＦの状態では、制御手段１２の入力部１２Ａには図３（ａ）の信号波形図の左側に示すような信号が、入力部１２Ｂには図３（ｂ）の左側に示すような信号が各々入力されている。
【００２７】
つまり、固定接点１１Ｂと１１Ｄは開離し、固定接点１１Ｃは可動接点１１Ａを介してグランド接続された固定接点１１Ｂに接続されているため、入力部１２Ａには電源回路４から高電位で開離信号のＨ信号が入力され、入力部１２Ｂには接続信号で低電位のＬ信号が入力されている。
【００２８】
そして、制御手段１２がこれらスイッチ手段１１からの複数のスイッチ接点の接離信号を同時に検出し、入力部１２Ａへは開離信号のＨ信号が入力され、入力部１２Ｂへはこれと異なる接続信号のＬ信号が入力されている場合には、この入力部１２Ｂへの接続信号に応じて、制御手段１２がスイッチ手段１１はＯＦＦであると判断し、出力部１２Ｃから消灯の駆動信号が出力され、点灯装置６は消灯状態となっている。
【００２９】
また、この時、制御手段１２は所定の、例えば電圧２．５Ｖの閾電圧値Ｓを基準として、スイッチ手段１１からの電位の高低の判断を行い、これによってスイッチ接点の接続や開離状態を検出している。
【００３０】
次に、例えば時間Ｔ１後に、スイッチ手段１１の操作部を操作し、図２のブロック回路図に示すように、可動接点１１Ａが移動して固定接点１１Ｂと１１Ｄに接触したＯＮ状態になると、図３（ａ）及び（ｂ）の中央に示すように、制御手段１２の入力部１２Ａには接続信号であるＬ信号が、入力部１２Ｂには開離信号であるＨ信号が各々入力され、制御手段１２がこれら接離信号を同時に検出し、入力部１２Ａへの接続信号に応じて、制御手段１２がスイッチ手段１１はＯＮであると判断し、点灯の駆動信号を出力し点灯装置６は点灯する。
【００３１】
また、このようなスイッチ装置を装着した自動車が高圧電線下や電波塔近傍を通行したり、あるいは無線機近傍等の強電界環境中で使用された場合、制御手段１２への入力信号にノイズＮが発生する。
【００３２】
そして、例えば、図１に示したようにスイッチ手段１１がＯＦＦ状態で、入力部１２Ａには図４（ａ）の信号波形図に示すように、開離信号のＨ信号が入力され、入力部１２Ｂには図４（ｂ）に示すように、接続信号のＬ信号が入力されている状態で、これらにノイズＮが重畳した場合、図４（ａ）のＨ信号の電位はノイズＮによって閾電圧値Ｓより低い電位に低下し、入力部１２Ａには所定時間Ｌ信号が入力される。
【００３３】
しかし、図４（ｂ）の入力部１２Ｂに入力されている信号はノイズＮが重畳しても、さらに低い電位へ変化して同じくＬ信号のままであるため、制御手段１２へは入力部１２Ａと１２Ｂの両方からＬ信号が入力される。
【００３４】
そして、この時、制御手段１２はこれらの信号の内の１つのみが接続信号のＬ信号で、他が開離信号のＨ信号である時に、この接続信号に応じて点灯の駆動信号を点灯装置６へ出力するように構成されているため、上記のように複数のＬ信号が入力された場合には、制御手段１２は駆動信号を出力せず、点灯装置６は消灯のまま維持される。
【００３５】
つまり、図３に示した場合のように、スイッチ手段１１が正常に操作され、複数のスイッチ接点の接離が切換わった場合には、制御手段１２から点灯や消灯の駆動信号が出力されるが、図４の場合のように、開離信号のＨ信号にノイズＮが重畳した場合等には、駆動信号が出力されないように構成されている。
【００３６】
このように本実施の形態によれば、制御手段１２がスイッチ手段１１の複数のスイッチ接点の接離信号を同時に検出する共に、複数の接離信号の内の１つのみが接続信号で、他が開離信号である時に、この接続信号に応じて所定の駆動信号を出力するようにしてスイッチ装置を構成することによって、強電界環境下で複数の開離信号にノイズが重畳し、接続信号が１つではなく複数となった場合には、制御手段１２が駆動信号を出力しないため、ノイズ吸収用のコンデンサ等が不要となり、簡易な構成で、誤動作がなく確実な動作が可能なスイッチ装置を得ることができるものである。
【００３７】
なお、以上の説明では、スイッチ手段１１を、可動接点１１Ａの操作によって固定接点１１Ｂと１１Ｃ間、または固定接点１１Ｂと１１Ｄ間の電気的接離を行う、所謂１回路２接点の構成とし、これを用いて点灯装置６の点消灯を行うスイッチ装置について説明したが、次に、１回路多接点でワイパーの駆動装置等を制御するスイッチ装置について説明する。
【００３８】
通常、このようなスイッチ装置には、図５のブロック回路図に示すように、一端が固定接点２１Ｂに接続された可動接点２１Ａの他端が、回転等の操作によって固定接点２１Ｃや２１Ｄ，２１Ｅ，２１Ｆへ順次接離する、１回路多接点のスイッチ手段２１が用いられ、これによって、例えばワイパーをＯＦＦや間欠駆動、ノーマル駆動、高速駆動等に切換える構成となっている。
【００３９】
そして、このスイッチ手段２１の固定接点２１Ｃ〜２１Ｆが、抵抗を介して電源回路４に接続された制御手段２２の、入力部２２Ａ，２２Ｂ，２２Ｃ，２２Ｄに各々接続されると共に、制御手段２２にはワイパー駆動装置２３が接続されて、スイッチ装置が構成されている。
【００４０】
以上の構成において、可動接点２１Ａが固定接点２１Ｂと２１Ｃに接触した状態では、入力部２２Ａに接続信号のＬ信号が、他の入力部２２Ｂ〜２２Ｄには開離信号のＨ信号が入力されている。
【００４１】
そして、制御手段２２がこれら複数のスイッチ接点の接離信号を同時に検出し、入力部２２Ａのみが接続信号のＬ信号で、他の入力部は開離信号のＨ信号であると判断して、ワイパー駆動装置２３にＯＦＦ、つまり停止の駆動信号を出力する。
【００４２】
次に、スイッチ手段２１を操作して可動接点２１Ａを移動させ、固定接点２１Ｂと２１Ｄが接触した状態では、入力部２２Ｂのみに接続信号のＬ信号が、他の入力部には開離信号のＨ信号が入力されるため、制御手段２２が間欠駆動の駆動信号をワイパー駆動装置２３に出力して、ワイパーが間欠駆動される。
【００４３】
以下、同様に、固定接点２１Ｂと２１Ｅ、あるいは固定接点２１Ｂと２１Ｆが接触すると、入力部２２Ｃあるいは２２Ｄのみに接続信号のＬ信号が入力され、他の入力部には開離信号のＨ信号が入力されるため、制御手段２２からワイパー駆動装置２３へノーマル駆動や高速駆動の駆動信号が出力される。
【００４４】
また、強電界環境中で使用され、例えば固定接点２１Ｂと２１Ｃが接触し入力部２２Ａにのみ接続信号のＬ信号が入力され、ワイパー駆動装置２３が停止した状態で、各入力信号にノイズＮが発生した場合には、入力部２２Ｂ〜２２Ｄの開離信号のＨ信号はノイズＮによって閾電圧値Ｓより低い電位に低下し、所定時間Ｌ信号が入力されるが、入力部２２Ａに入力されている信号はノイズＮが重畳しても、さらに低い電位へ変化して同じくＬ信号のままとなる。
【００４５】
従って、全ての入力部に接続信号のＬ信号が入力されるため、１つのみが接続信号で他が開離信号である時に、所定の駆動信号を出力する制御手段２２がこれを検出して、駆動信号は出力されないように構成されている。
【００４６】
つまり、以上のような１回路多接点のスイッチ手段２１を用いたスイッチ装置においても、強電界環境下で複数の開離信号にノイズが重畳し、接続信号が１つではなく複数となった場合には、制御手段２２が駆動信号を出力しない構成となっているため、入力部２２Ａ〜２２Ｄにノイズ吸収用のコンデンサ等を接続する必要がなく、簡易な構成で、誤動作がなく確実な動作が可能なスイッチ装置を得ることができるものである。
【産業上の利用可能性】
【００４７】
本発明によるスイッチ装置は、簡易な構成で、誤動作がなく確実な動作が可能なスイッチ装置を実現することができるため、自動車等の点灯装置やワイパー装置の制御等に有用である。
【図面の簡単な説明】
【００４８】
【図１】本発明の一実施の形態によるスイッチ装置のブロック回路図
【図２】同操作時のブロック回路図
【図３】同信号波形図
【図４】同ノイズ重畳時の信号波形図
【図５】同他の実施の形態によるブロック回路図
【図６】従来のスイッチ装置のブロック回路図
【図７】同操作時のブロック回路図
【図８】同信号波形図
【符号の説明】
【００４９】
３  抵抗
４  電源回路
６  点灯装置
６Ａ  入力部
１１  スイッチ手段
１１Ａ，２１Ａ  可動接点
１１Ｂ，１１Ｃ，１１Ｄ  固定接点
１２，２２  制御手段
１２Ａ，１２Ｂ，２２Ａ，２２Ｂ，２２Ｃ，２２Ｄ  入力部
２１  スイッチ手段
２１Ｂ，２１Ｃ，２１Ｄ，２１Ｅ，２１Ｆ  固定接点
２３  ワイパー駆動装置
【図１】
2005212717.tif 000003
【図２】
2005212717.tif 000004
【図３】
2005212717.tif 000005
【図４】
2005212717.tif 000006
【図５】
2005212717.tif 000007
【図６】
2005212717.tif 000008
【図７】
2005212717.tif 000009
【図８】
2005212717.tif 000010